【事件の表示】
　平成４年特許願第４１２８２号「複写機のトラブル管理装置」拒絶査定に対する審判事件（平成５年９月２１日出願公開、特開平５−２４１３９２）について、次のとおり審決する。
【結論】
　本件審判の請求は、成り立たない。
【理由】
１．手続の経緯、本件発明
　本願は、平成４年２月２７日の出願であって、その請求項１に係る発明は、平成１０年１２月４日付けの手続補正書により補正された明細書の記載からみて、特許請求の範囲の請求項１に記載されたとおりの次のものと認められる。
「【請求項１】　電源投入後の複写機の動作中または待機中等において複写機内のトラブルを検知するトラブル検知手段と、上記トラブル検知手段にてトラブル検知された時に、そのトラブルの内容と共に、該トラブル発生時の複写機の上記動作中または待機中等の動作状態と、複写機の各負荷のオン／オフ等の負荷状態とをトラブルデータとして記憶するメモリ手段と、上記メモリ手段に記憶されたトラブルデータの内容を表示する表示手段と、を備えたことを特徴とする複写機のトラブル管理装置。」
２．引用例記載の発明
　これに対して、原査定の拒絶の理由に引用された引用例１乃至２にはそれぞれ以下の事項が記載されている。
引用例１：特開昭５６−１０６７号公報
（ａ）「本発明は複写紙のジャムその他故障等の障害内容およびその位置を表示する電子写真装置の障害表示装置に関する。」（第１頁左下欄第１４〜１６行）、
（ｂ）「第２図は本発明における複写装置の主要構成要素の電気的関係を示したものである。２１は複写装置全体の制御装置であり、２２は複写装置の各機構の動作をチェックする監視装置である。２３は原稿台２及び感光体ドラム３の駆動を制御する駆動制御部、２４は帯電装置４・転写装置７及び除電装置９への高電圧供給を制御する高電圧制御部である。２５は給紙搬送制御部で給紙ローラ１５・再スタートローラ１６及びその他搬送路１３上の各搬送装置を制御する。他、２６は定着装置１４への通電及び温度制御を行う定着装置制御部、２７は現像装置の回転・バイアス電圧の印加及びトナー補給を制御する現像装置制御部であり、２８は露光装置５の露光ランプＨＬの点滅と光量を制御する露光装置制御部である。
　上記各制御部２３乃至２８は制御装置２１より所定タイミングでスタート及びストップ信号を受け、内部に有するセンサ或いはＳＷの信号を監視装置２２に出力する。監視装置２２は、制御装置２１からこの信号の出されたこと、スタートストプの別及び対象となる部分を通知する信号を受ける。この信号を受けると監視装置２２は対応する制御部が正常に動作しているか否かをこの信号とセンサ或いはＳＷの信号との時間的関係或いは出力レベルにより判別する。」（第２頁右上欄第１０行〜左下欄第１５行）、
（ｃ）「その障害の種類とコード番号を表１に示す。第１表」（第２頁右下欄第１４行〜第３頁左上欄末行）、
（ｄ）「上記した構成による複写機における動作を以下に説明する。ここで工程を区分し、各区分にコードを付してそれを表２で示す。まず電源が投入されると定着装置制御部２６に対し動作開始信号が与えられ、定着装置１４が所定温度に上昇するまでウオームアップ状態とし、これをコード「００」の工程区分とする。定着装置１４が所定温度に達すると監視装置２２は、それを検知し制御装置２１に出力する。この出力によりコピー可能状態表示ランプ３１が点灯され、置数ＳＷ４２による制御装置内部のセット数レジスタヘの置数を可能としてコピーＳＷ４１がオンとなるのを待つ状態とする。この工程区分にコード「０１」を与える。以下１枚のコピーを取る場合に付いてみる。コピーＳＷ４１をオンにすると転写紙Ａの給紙と帯電装置４、除電装置９及び清掃装置１０の作動と感光体ドラム３の回転とが開始されこの工程区分コードを「０２」とする。・・・ここで上記の工程区分をまとめて第２表に示す。第２表」（第３頁右上欄第６行〜第４頁左上欄末行）、
（ｅ）「監視装置２２は障害の発生を第１表に示した分類で検知し、制御装置２１に障害の発生及びそのコードを表す信号を出力する。障害コード「１１」乃至「１３」で表された障害は駆動制御部３１に関連し、障害「１１」は感光体ドラム３に取り付けられたタイミングパルス発生手段（図示しない）が工程区分「０３」乃至「０９」で所定間隔でパルスを発生しない場合に検出される。障害「１２」は工程区分「０３」で原稿台２の前進開始の信号が制御装置２１から駆動制御部２３に出された後所定時間以内にホームポジションＳＷ２０がオンしない場合に検出される。障害「１３」はこの逆である。障害「２１」及び「２２」は露光装置制御部２８に関係し、露光ランプＨＬが制御装置２１からの点灯信号にもかかわらず点灯しない（障害「２１」）又は無関係に点灯する（障害「２２」）ことをランプＨＬ近傍に設けたフォトトランジスタ（図示せず）により検知されるものである。さらに障害「３１」及び「３２」は現像装置６に取付けた回転検知素子（図示せず）及び電圧検知手段（図示せず）により磁気ブラシが回転しないこと（障害「３１」）…として検知される。」（第４頁右上欄第１行〜左下欄第５行）、
（ｆ）「監視装置２２が障害を検出すると障害の発生のみでなくその障害の種類をも制御装置２１に通知する信号を出力する。制御装置２１が障害の発生信号と種類を表わす信号を受けとると、…発生障害コードレジスタに障害の種類を表す信号をエンコードして保持する。・・・工程区分コード保持レジスタは、障害発生時の工程区分コードを保持している。ここで表示モード切替ＳＷ４３を「障害」の位置にセットすると複写セット枚数表示部３３Ａに表示する内容を保持するセット数レジスタに発生障害コードレジスタの内容が転送され、表示部３３Ａに発生した障害のコードが表示される。（複写枚数表示部３３Ｂは給紙された枚数を表示したままである。）又、ＳＷ４３を「工程」にセットすると、同様に工程区分コードレジスタの内容がセット数レジスタに転送され表示される。もし複数の障害発生箇所がある場合、複数の内容がセットされている発生障害コードレジスタから順次巡回して所定時間間隔（例えば、１秒間）でその内容をセット数レジスタに転送し障害コードを全て順に表示する。」（第４頁左下欄第１９行〜第５頁左上欄第７行）、及び
（ｇ）「本実施例では、制御装置２１と監視装置２２とを完全に分離したが、最近広く普及しているマイクロコンピュータ（例えばインテル社８０８０Ａ系のもの）を使用すれば、制御装置２１内に一部監視の機能を持つことがある。」（第６頁右上欄第７〜１１行）が、それぞれ図面と共に記載されている。
　前記記載によると、障害の内容としては、感光体ドラム、原稿台、露光ランプ、現像装置等が動作しない（オフ）又は誤作動する（オン）ことに関する異常と、その他の異常とが含まれる（前記（ｃ）、（ｅ））。そして、障害が複数発生した場合には、それらの障害の内容をすべて保持し、かつ表示することが記載されている（前記（ｆ））。したがって、前記感光体ドラム、原稿台、露光ランプ、現像装置等は複写機の負荷といえるものであるから、これらの負荷に関する障害とそれ以外の部分に関する障害とが発生した場合には、負荷以外の障害内容を表示すると共に、負荷の障害、即ち負荷がオフ又はオンであることも表示するものである。
　よって、これらの記載から、引用例１には「電源投入後の複写機の工程区分「００」乃至「０９」において複写機内の故障等の障害を検知する障害検知手段と、上記障害検知手段にて障害検知された時に、その障害の内容と共に、該障害発生時の複写機の動作状態の工程区分と、複写機の感光体ドラム、原稿台、露光ランプ、現像装置等の各負荷の障害状態、即ちオン／オフの状態、とを保持するレジスタと、上記レジスタに保持された障害に関する内容を表示する表示手段と、を備えたことを特徴とする電子写真装置の障害表示装置。」が記載されているものと認められる。
引用例２：特開平３−１６１７６４号公報
（ｈ）「本発明は斯かる事情に鑑みなされたものであり、例えばコピー枚数、露光電圧等の画像形成装置の機能に係るデータの履歴を表示することにより、データの変化を検出でき、異常を予知し、未然にその発生を防止できると共に異常発生時にそれに関連するデータの履歴を表示し、データの変化を調べることができ、それにより異常の原因を究明でき、交換又は補給部品の要否等の判断が可能となる遠隔管理装置を提供することを目的にする。
（課題を解決するための手段）本発明に係る遠隔管理装置は、紙に画像を形成する画像形成装置複数台と通信回線により接続され、各画像形成装置の機能に係るデータを含む複数の情報を受信し、受信した情報を表示画面に選択的に表示して各画像形成装置を管理する遠隔管理装置において、前記データの履歴を各画像形成装置毎に記憶する記憶手段と、記憶された前記履歴を前記表示画面に表示させる表示制御手段とを備えることを特徴とする。
（作用）本発明においては画像形成装置から露光電圧、現像バイアス電圧等の機能に係るデータが入力されると、それが日時と共に各画像形成装置毎に記憶され、データの履歴が作成され、それが必要なタイミングで表示画面に表示される。これにより異常を未然に防止すると共に、異常発生時に異常に関連する機能のデータの履歴を調べることによりその変化が判明し、的確な異常の原因の究明が可能になる。」（第２頁左上欄第１６行〜左下欄第４行）、
（ｉ）「Ｉ／Ｆ回路２は複写機１を管理するのに必要なデータを通信ユニット３を介してセンタ装置４に提供する機能を担っており、Ｉ／Ｆ回路２が収集するデータは例えば複写機１の場合、サイズ別コピー枚数、露光電圧、現像バイアス電圧等の主要部の電圧、ヒートローラ温度等の主要部の温度、位置別紙づまり、トナー（デベロッパ）切れ、紙切れ及び電圧異常等の故障情報、電源のオン／オフ、複写中の複写機情報等の情報がある。これらのデータのうちサイズ別コピー枚数並びに主要部の電圧及び温度は複写機１が動作する度に測定してバッファ部１０に一時的に蓄え、通信ユニット３からの要求に応じてデータ授受部１１を経由して転送されるが、故障情報及び複写機情報は通信ユニット３が常時監視できるようになっている。」（第４頁左上欄第８行〜右上欄第２行）
（ｊ）「ＰＰＣ故障経歴表示はＰＰＣ状態選択において「ＭＥＮＵ」を選択し、サブメニューを表示させ（第２２図）、「ＰＰＣ故障経歴」を選択することにより表示される。ここでは故障発生月、異常内容とその時の露光電圧、現像バイアス電圧及びヒートローラ温度並びに受信時刻とを表示する（第２５図）。またこれらの測定データの中で適正範囲を超えているものは赤で表示する。」（第８頁右下欄第１８行〜第９頁左上欄第５行）、
（ｋ）「ＰＰＣ故障経歴ファイルは故障が発生した日時、露光電圧、現像バイアス電圧及びヒートローラ温度を管理する。このファイルは異常発生の都度追加される。」（第１０頁左上欄第４〜７行）、及び
（ｌ）「本発明においては露光電圧、現像バイアス電圧等のデータを受信するとそれが日時と共に記憶され、その履歴が作成され、それを必要なタイミングで表示できるので、データの変化が判明し、異常が予知でき、それに対する予防が可能となると共に異常発生時にそれに関連する機能のデータの履歴によりその変化が判明し、的確な異常原因を究明でき交換部品の要否等が的確に判断できる等すぐれた効果を奏する。」（第１４頁左上欄第１９行〜右上欄第７行）が、それぞれ図面と共に記載されている。
　これらの記載から、引用例２には、異常の原因を究明することを目的の１つとして、画像形成装置の各部の状態を監視しており、画像形成装置の機能に係るデータを記憶して、その履歴を作成し、異常発生時等の必要なタイミングには異常内容と共にその時の所要のデータを表示する旨の技術的事項が開示されているものと認められる。
３．対比・判断
　引用例１に開示された発明（以下、「引用例発明」という。）と本件請求項１に係る発明（以下「本件発明」という。）とを対比すると、引用例発明における、「工程区分「００」乃至「０９」」、「故障等の障害」、「障害検知手段」、「動作状態の工程区分」、「保持」、「レジスタ」、「障害に関する内容」、及び「電子写真装置の障害表示装置」、がそれぞれ本件発明における、「動作中または待機中等」、「トラブル」、「トラブル検知手段」、「動作中または待機中等の動作状態」、「記憶」、「メモリ手段」、「トラブルデータ」、及び「複写機のトラブル管理装置」に相当することは明らかであるので、両者は、「電源投入後の複写機の動作中または待機中等において複写機内のトラブルを検知するトラブル検知手段と、上記トラブル検知手段にてトラブル検知された時に、そのトラブルの内容と共に、該トラブル発生時の複写機の上記動作中または待機中等の動作状態と、複写機の各負荷の状態とをトラブルデータとして記憶するメモリ手段と、上記メモリ手段に記憶されたトラブルデータの内容を表示する表示手段と、を備えたことを特徴とする複写機のトラブル管理装置。」で一致する。そして、メモリ手段に記憶される各負荷に関するトラブルデータが、本件発明では、トラブル検知したときの各負荷のオン／オフ等の負荷状態であるのに対し、引用例発明では、トラブル検知したときの異常の発生している負荷の障害状態、即ちオン／オフの状態、である点がひとまず相違点として挙げられる。
　そこで、上記相違点についてさらに考察する。
　本件発明における「オン／オフ等の負荷状態」の意味する技術的内容を考察すると、負荷状態の内容に関して発明の詳細な説明には、「複写機内の各種負荷のオン／オフの状態」、「例えば複写動作中での負荷状態は複写プロセスの経過にともなって時々刻々変化し、その負荷状態を認識することで、トラブルの発生原因の究明に役立つ。上記負荷状態が記憶されていると規定以上の負荷が掛かってしまったためにトラブルが発生したということが理解でき、トラブルの原因を究明できるようになる。」（段落【０００６】参照）、「負荷の状態は、例えば「第１メインモータ、第２メインモータ等の各負荷のオン／オフ状態である。」（段落【０００９】参照）、「また、モータ等の複写機内の各負荷には、図３に示したようにメインチャージャや転写チャージャの各負荷に各々対応するフラグが設けられている。この各負荷のオン／オフ状態に応じて対応するフラグがセットされ、そのフラグのセット状態でオン／オフ状態を認識できる。」（段落【００１１】）、が記載されており、これらの記載から「オン／オフ等の負荷状態」とは、「第１メインモータ、第２メインモータ、メインチャージャ、転写チャージャ等のオン／オフの状態」を意味するものとして把握される。
　一方、引用例１において、感光体ドラム、原稿台、露光ランプ、現像装置等は、電子写真装置の負荷といえるものであって、引用例１に記載のものは、複写装置全体の制御装置で感光体ドラム、帯電装置・転写装置、給紙ローラ・その他搬送装置、定着装置、現像装置、露光装置等の各負荷の制御部を制御しており、前記制御部の駆動状態は、制御装置、その内部に設けられたセンサ及びＳＷからの信号によって、監視装置で監視されている（前記（ｂ））。そして、実施例では検出した各負荷の状態のうち、前記感光体ドラムが回転しない（オフ）こと、原稿台が移動しない（オフ）こと、露光ランプＨＬが点灯しない（オフ）又は無関係に点灯する（オン）こと、現像装置が作動しない（オフ）こと等、の障害の発生した各負荷についてのオン／オフの状態についてはレジスタに保持するとともに表示することが記載されている（前記（ｃ）、（ｅ）及び（ｆ））。
　したがって、引用例発明においても、各負荷のオン／オフの状態を常時監視しているものであって、そのうちの障害の発生した負荷についてのオン／オフの状態についてはレジスタに保持し、表示するようにしている。
　以上のことから、前記に挙げた相違点は、メモリ手段に記憶される各負荷に関するトラブルデータが各負荷のオン／オフの状態であるところまでは一致点といえ、前記各負荷が、本件発明では、トラブル検知したときの障害が発生していない負荷をも含んだ各負荷を対象としているのに対し、引用例発明では、トラブル検知したときに異常の発生している負荷を対象としている点を実質的な相違点として把握できる。
　前記のとおり把握した相違点について検討する。
　引用例２には、複写機の機能に関するデータを監視して、そのデータを記憶して、履歴を作成しており、異常が発生したときには、異常内容と共にその時の所要のデータを表示する旨の技術的事項が開示されている。
　ここで、引用例１及び２はいずれも障害に対処するものであって、引用例発明においても、負荷のオン／オフ等の状態は常時監視しているのであるから、これに引用例２に開示された技術的事項を採用して、監視している各負荷のオン／オフ等の状態を記憶しておき、異常の発生したときに、的確な異常の原因の究明を行うために、異常内容と共に異常の発生していない負荷についてもそのオン／オフ等の状態を表示するようにすることは、当業者が適宜なし得たことと認められる。
　よって、前記相違点は当業者が適宜なし得た程度のことである。
　そして、本件明細書記載の効果も引用例１及び２の記載から容易に予測できた程度のものと認められる。
　したがって、請求項１に係る発明は、引用例１乃至２に記載の発明から当業者が容易に想到できたものと認められる。
４．むすび
　以上のとおりであるから、本件請求項１に係る発明は、特許法第２９条第２項の規定により特許を受けることができない。
　よって、結論のとおり審決する。